(57)【要約】【課題】高耐久性を有する各単電池の電圧のモニタができる積層型電池、およびこれを有する組電池、およびこれらを搭載した車両を提供する。【解決手段】複数の単電池２００を積層してなる単位発電要素３００と、単位発電要素が複数積層されてなる発電要素を覆う外装体と、単電池の電極にそれぞれ接続された複数の突起１０１ａからなる接続部１０１、接続部を支持し電極の電圧をそれぞれ電導する複数の配線を有する基部１０２、基部から外装体の外に突出し電極の電圧を外装体の外へ導出する導出部１０３、からなる配線基板１００と、を有し、配線基板は単位発電要素ごとに設けられ、それぞれの配線基板の導出部はあらかじめ複数形成した導出部のうちの一のみを残して切断されてなり、残した導出部は互いに単電池の積層方向と交差する面上の異なる位置から外装体の外へ突出させる。【選択図】図３
2010211954.tif 000002
【特許請求の範囲】
【請求項１】
複数の単電池を積層してなる単位発電要素と、
前記単位発電要素が複数積層されてなる発電要素を覆う外装体と、
前記単電池の電極にそれぞれ接続された複数の突起からなる接続部、前記接続部を支持し前記電極の電圧をそれぞれ電導する複数の配線を有する基部、前記基部から前記外装体の外に突出し前記電極の電圧を前記外装体の外へ導出する導出部、からなる配線基板と、を有し、
前記配線基板は前記単位発電要素ごとに設けられ、それぞれの前記配線基板の導出部はあらかじめ複数形成した前記導出部のうちの一のみを残して切断されてなり、前記残した前記導出部は互いに前記単電池の積層方向と交差する面上の異なる位置から前記外装体の外へ突出したことを特徴とする積層型電池。
【請求項２】
前記配線基板はそれぞれ前記単位発電要素の積層方向で同一の位置に配置されたことを特徴とする請求項１に記載の積層型電池。
【請求項３】
前記配線基板の導出部の数は前記単位発電要素の数と同一であり、前記接続部の前記突起の数は前記単位発電要素をなす単電池の数に一を加えた数であることを特徴とする請求項１または２のいずれかに記載の積層型電池。
【請求項４】
前記積層型電池は双極型電池であることを特徴とする請求項１〜３のいずれかに記載の積層型電池。
【請求項５】
請求項１〜４のいずれかに記載の積層型電池を複数電気的に接続して構成したことを特徴とする組電池。
【請求項６】
請求項１〜４のいずれかに記載の積層型電池、または請求項５に記載の組電池を搭載したことを特徴とする車両。
【発明の詳細な説明】
【技術分野】
【０００１】
本発明は積層型電池、およびこれを有する組電池、およびこれらを搭載した車両に関し、詳細には、各単電池の電圧の検出が可能な積層型電池、およびこれを有する組電池、およびこれらを搭載した車両に関する。
【背景技術】
【０００２】
近年、大気汚染や地球温暖化に対処するため、二酸化炭素量の低減が切に望まれている。自動車業界では、電気自動車（ＥＶ）やハイブリッド電気自動車（ＨＥＶ）の導入による二酸化炭素排出量の低減に期待が集まっており、これらの実用化の鍵を握るモータ駆動用二次電池の開発が盛んに行われている。
【０００３】
モータ駆動用二次電池としては、携帯電話やノートパソコン等に使用される民生用リチウムイオン二次電池と比較して極めて高い出力特性、および高いエネルギを有することが求められている。したがって、全ての電池の中で最も高い理論エネルギを有するリチウムイオン二次電池（一つの二次電池を単電池と称する）を直列に積層した双極型二次電池が注目を集めており、現在急速に開発が進められている。
【０００４】
双極型二次電池は、各単電池が製造バラツキによりその内部抵抗や容量等にバラツキを有することから、これを直列に接続したときに各単電池が分担する電圧にバラツキが生じる。単電池の分担電圧のバラツキが発生すると、分担電圧の大きな単電池に過大な負荷がかかり、当該分担電圧が大きい単電池から劣化が進行し、双極型二次電池全体としての寿命が当該分担電圧の大きい単電池によって制限されてしまうことがある。このため、各単電池の電圧をモニタし、分担電圧を均等にするための制御をすることが望ましい。
【０００５】
従来は、積層型電池において各単電池の電圧をモニタするために、積層された各集電体間に櫛型形状の配線基板の歯の部分を挿入して、該歯の部分と各集電体とを接触させて電気的に接続し、該配線基板の柄の部分から各集電体の電圧を取り出していた（特許文献１）。
【先行技術文献】
【特許文献】
【０００６】
【特許文献１】特開２００８−１６００６０号公報
【発明の概要】
【発明が解決しようとする課題】
【０００７】
しかし、積層型電池を構成する単電池の積層数が多いと積層数に対応する配線基板の歯の数も多くなり、最上層の単電池と最下層の単電池とに接続された該歯の単電池積層方向における距離が長くなる。
【０００８】
このため、積層型電池は、複数の単電池を積層してなる電池要素を外装体で密封したときに、配線基板の歯と本体である柄との接続部に応力がかかり、配線基板の耐久性が劣り、電池の耐久性が十分でない場合がある。
【課題を解決するための手段】
【０００９】
上記課題を解決するために、本発明に係る積層型電池は、複数の単位発電要素と、外装体と、配線基板と、を有してなる。単位発電要素は複数の単電池を積層してなる。外装体は、単位発電要素が複数積層されてなる発電要素を覆う。配線基板は、単電池の電極にそれぞれ接続された複数の突起からなる接続部、接続部を支持し電極の電圧をそれぞれ電導する複数の配線を有する基部、基部から外装体の外に突出し電極の電圧を外装体の外へ導出する導出部、からなる。配線基板は単位発電要素ごとに設けられ、それぞれの配線基板の導出部はあらかじめ複数形成した導出部のうちの一のみを残して切断されてなり、残した導出部は互いに単電池の積層方向と交差する面上の異なる位置から外装体の外へ突出させる。
【発明の効果】
【００１０】
本発明に係る積層型電池によれば、単位発電要素ごとに１つの配線基板を接続するので、配線基板の歯の数を減らすことができ、これにより、配線基板へかかる応力を低減し配線基板の耐久性を向上することができ、電池の耐久性が向上する。
【００１１】
また、各配線基板の導出部を同一面上で異なる位置に配置するため、複数の導出部を外装材の外へ取り出しても該導出部が占める厚さは配線基板一つ分の厚さとなる。このため、外装体のシール性を確保することができ、電池の耐久性が向上する。
【００１２】
さらに、各配線基板の導出部は、あらかじめ複数形成した導出部のうちの一のみを残して切断することで構成するため、異なる形状の配線基板を製造する必要がなく、電池の生産性を良くすることができる。
【図面の簡単な説明】
【００１３】
【図１】本発明の実施形態に係る積層型電池の外観図である。
【図２】図１に示す積層型電池の断面図である。
【図３】本実施形態に係る積層型電池の外装材を除いた内部構造を示す説明図である。
【図４】配線基板１００の構造を示す説明図である。
【図５】あらかじめ作製する、複数の導出部を有する配線基板を示す図である。
【図６】発電要素に配線基板を設置する場所の例を示す説明図である。
【図７】同一の配線基板を使用した場合の積層型電池の説明図である。
【図８】配線基板１００の例を示す説明図である。
【図９】本実施形態に係る積層型電池を複数接続した組電池の実施形態の外観図である。
【図１０】本発明の実施形態に係る積層型電池または組電池を搭載した電気自動車を示す図である。
【発明を実施するための形態】
【００１４】
以下に、本発明に係る積層型電池、およびこれを有する組電池、およびこれらを搭載した車両について実施形態により詳細に説明する。以下、積層型電池として双極型のリチウムイオン二次電池（以下、「積層型電池」と称する）を例に説明するが、本発明はこれに限定されるものではない。なお、以下参照する図面では、積層型電池の構成要素の形状、厚さ等を誇張しているが、これは発明の理解を容易にするためである。
【００１５】
図１は、本発明の実施形態に係る積層型電池の外観図である。図２は、図１に示す積層型電池の断面図である。
【００１６】
図１に示すように、本実施形態に係る積層型電池１０は、一般的な積層型電池と同様に、たとえば、長方形状の扁平な形状を有し、その両側部からそれぞれ電力を取り出すための正極タブ１１０Ａおよび負極タブ１１０Ｂが引き出される。発電要素１２０は、積層型二次電池１０の外装材（たとえば、ラミネートフィルム）１３０によって包まれ、その周囲は熱融着されており、正極タブ１１０Ａおよび負極タブ１１０Ｂを引き出した状態で密封される。
【００１７】
図２に示すように、積層型電池１０の発電要素１２０は、正極活物質層２１０と、負極活物質層２２０とが集電体２３０のそれぞれの面に形成された積層型電池用電極２６０を複数有する。各積層型電池用電極２６０は、電解質層２４０を介して積層されて発電要素１２０を形成する。隣接する正極活物質層２１０、電解質層２４０および負極活物質層２２０は、一つの単電池２００を構成する。したがって、積層型電池１０は、単電池２００が積層されてなる構成を有する。また、各集電体２３０のそれぞれ対向する面の外周には、隣接する集電体２３０間を絶縁するためのシール部材２５０を設ける。
【００１８】
本実施形態は、各単電池２００の電極（詳細には集電体２３０）の電圧を外装材１３０の外に導出するために配線基板を用いる。後述するように、配線基板は接続部と基部と導出部とからなり、接続部に設けた突起を集電体と接続し、基部に設けた配線を介して基部から外装体の外に突出させた導出部１０３から各単電池の電圧を取り出す。図１は、該配線基板を複数設置した積層型電池１０を示している。外装材１３０の外には配線基板のうち導出部１０３のみが現れる。
【００１９】
次に、本実施形態に係る積層型電池の各部材について説明する。
【００２０】
［積層型電池用電極］
積層型電池用電極は、集電体２３０と、その表面に設けた活物質層２１０、２２０とを有する。より詳しくは、一つの集電体の片面に正極活物質層２１０を、他方の面に負極活物質層２２０を有する。各活物質層は活物質を含み、必要に応じてその他の添加剤をさらに含む。
【００２１】
正極活物質層は正極活物質を含む。正極活物質としては、例えば、ＬｉＭｎ２Ｏ４やＬｉＮｉＯ２等のリチウム−遷移金属酸化物、リチウム−遷移金属リン酸化合物、リチウム−遷移金属硫酸化合物が挙げられる。２種以上の正極活物質が併用されてもよい。上記以外の正極活物質が用いられてもよい。
【００２２】
負極活物質層は負極活物質を含む。負極活物質としては、例えば、グラファイト、ソフトカーボン、ハードカーボン等の炭素材料、上述したようなリチウム−遷移金属化合物、金属材料、リチウム−金属合金材料が挙げられる。２種以上の負極活物質が併用されてもよい。上記以外の負極活物質が用いられてもよい。
【００２３】
正極および負極の活物質層に含まれるそれぞれの活物質の平均粒子径は特に制限されないが、好ましくは０．０１〜１００μｍであり、より好ましくは１〜５０μｍである。ただし、この範囲を外れる形態が採用されてもよい。
【００２４】
［電解質層］
電解質層を構成する電解質に特に制限はなく、液体電解質、ならびに高分子ゲル電解質および高分子固体電解質等のポリマー電解質を用いることができる。
【００２５】
液体電解質は、可塑剤である有機溶媒に支持塩であるリチウム塩が溶解した形態を有する。可塑剤として用いられる有機溶媒としては、例えば、エチレンカーボネート（ＥＣ）やプロピレンカーボネート（ＰＣ）等のカーボネート類が挙げられる。また、支持塩（リチウム塩）としては、ＬｉＮ（ＳＯ２Ｃ２Ｆ５）２、ＬｉＮ（ＳＯ２ＣＦ３）２、ＬｉＰＦ６、ＬｉＢＦ４、ＬｉＣｌＯ４、ＬｉＡｓＦ６、ＬｉＳＯ３ＣＦ３等の電極の活物質層に添加されうる化合物を同様に用いることができる。
【００２６】
一方、ポリマー電解質は、電解液を含むゲル電解質と、電解液を含まない高分子固体電解質に分類される。ゲル電解質は、リチウムイオン伝導性を有するマトリックスポリマーに、上記の液体電解質が注入されてなる構成を有する。リチウムイオン伝導性を有するマトリックスポリマーとしては、例えば、ポリエチレンオキシド（ＰＥＯ）、ポリプロピレンオキシド（ＰＰＯ）、およびこれらの共重合体等が挙げられる。かようなマトリックスポリマーには、リチウム塩等の電解質塩がよく溶解しうる。高分子固体電解質は、上記のマトリックスポリマーに支持塩（リチウム塩）が溶解してなる構成を有し、可塑剤である有機溶媒を含まない。したがって、電解質層が高分子固体電解質から構成される場合には電池からの液漏れの心配がなく、電池の信頼性が向上しうる。
【００２７】
高分子ゲル電解質や高分子固体電解質のマトリックスポリマーは、架橋構造を形成することによって、優れた機械的強度を発揮しうる。架橋構造を形成させるには、適当な重合開始剤を用いて、高分子電解質形成用の重合性ポリマー（例えば、ＰＥＯやＰＰＯ）に対して熱重合、紫外線重合、放射線重合、電子線重合等の重合処理を施せばよい。
【００２８】
なお、電解質層が液体電解質やゲル電解質から構成される場合には、電解質層にセパレータを用いてもよい。セパレータの具体的な形態としては、例えば、ポリエチレンやポリプロピレン等のポリオレフィンからなる微多孔膜が挙げられる。
【００２９】
［シール部材］
積層型電池１０においては、通常、各集電体２３０のそれぞれ対向する面の外周、すなわち、各単電池層２００の周囲にシール部材２５０を設ける。このシール部材２５０は、電池内で隣り合う集電体２３０同士が接触することや、発電要素１２０における単電池層２００の端部のわずかな不揃い等に起因する短絡が起こることを防止する目的で設ける。シール部材２５０を設けることにより、長期間の信頼性および安全性が確保され、高品質の双極型二次電池１００を提供しうる。
【００３０】
シール部材２５０の材料としては、絶縁性、固体電解質の脱落に対するシール性や外部からの水分の透湿に対するシール性（密封性）、電池動作温度下での耐熱性を有するものを用いる。例えば、ウレタン樹脂、エポキシ樹脂、ポリエチレン樹脂、ポリプロピレン樹脂、ポリイミド樹脂、ゴムを用いうる。なかでも、耐蝕性、耐薬品性、作り易さ（製膜性）、経済性等の観点から、ポリエチレン樹脂やポリプロピレン樹脂を好適に用いうる。
【００３１】
[正極タブおよび負極タブ]
電池外部に電力を取り出す目的で、電池要素１２０において最大電位および最小電位となる集電体２３０にそれぞれ電気的に接続したタブ（正極タブ１１０Ａおよび負極タブ１１０Ｂ）を電池の外装材１３０の外部に引き出すように設ける。
【００３２】
タブを構成する材料には高導電性材料を用いる。高導電性材料としては、例えば、アルミニウム、銅、チタン、ニッケル、ステンレス鋼（ＳＵＳ）、これらの合金等の金属材料を用いることが望ましい。また、軽量、耐食性、高導電性の観点からアルミニウム、銅を用いることがさらに望ましい。
【００３３】
［外装材］
外装材１３０としては、金属缶ケースのほか、発電要素を覆うことができる、アルミニウムを含むラミネートフィルムを用いた袋状のケースを用いることができる。ラミネートフィルムとしては、例えば、ポリプロピレン、アルミニウム、ナイロンをこの順に積層してなる３層構造のラミネートフィルムを用いることができるが、これに制限されない。
【００３４】
次に、本実施形態に係る積層型電池の構造について詳細に説明する。
【００３５】
図３は、本実施形態に係る積層型電池の外装材を除いた内部構造を示す説明図である。図は、上面図と、二つの切断面（Ａ−Ａ’断面とＢ−Ｂ’断面における断面図）を示している。
【００３６】
図３に示すように、発電要素１２０は、複数の単電池を積層してなる単位発電要素３００が複数積層されることにより構成する。
【００３７】
配線基板１００は、各単電池２００の電圧を外装材の外からモニタするために設ける。配線基板１００は、接続部１０１と、基部１０２と、導出部１０３と、からなる。配線基板１００の接続部１０１は複数の突起１０１ａからなり、各突起１０１ａの先端を各集電体２３０と接触させることで両者を電気的に接続させる。
【００３８】
配線基板１００の基部１０２は接続部１０１を支持するとともに、各突起１０１ａと接続された各配線を集束し各突起１０１ａが接続された各集電体２３０の電圧を該配線により導出部１０３へ電導する。
【００３９】
導出部１０３は、基部１０２から各集電体２３０の電圧の電導を受け、配線を介して出力端１０３ａから該電圧を出力する。導出部１０３の出力端１０３ａを外装材の外へ突出させることで、積層型電池内部の各単電池の電圧を外装材の外からモニタすることができる。また、導出部１０３の出力端１０３ａを電池外部の装置に接続することで、電池外部から各単電池を個別に充放電させることもできる。
【００４０】
配線基板１００は、単位発電要素３００ごとに設ける。単位発電要素ごとに配線基板１００を設けるのは、次の理由による。すなわち、仮に発電要素１２０に一つだけ配線基板を設けると、発電要素１２０を構成する単電池２００の積層数の増大に伴って配線基板１００の突起１０１ａの数も増大する。そして、最上層の単電池と最下層の単電池とに接続された該突起１０１ａ間の単電池積層方向における距離が長くなる。このため、電池要素を外装体で密封したときに、配線基板の突起１０１ａと本体である基部１０２との接続部に応力がかかり、配線基板の耐久性が劣る場合があるからである。本実施形態においては、配線基板１００を単位発電要素３００ごとに設けることで、発電要素１２０を構成する単電池２００の積層数が増大しても配線基板１００の突起１０１ａの数を増大させる必要をなくしている。そのため、上述した、突起１０１ａと基部１０２との接続部にかかる応力による配線基板の耐久性劣化の問題を解決し、電池の耐久性を向上させることができる。
【００４１】
各単位発電要素３００に設ける各配線基板１００の形状は、接続部１０１と基部１０２は共通で、基部１０２から突出させる導出部１０３の基部１０２に対する相対位置のみ変えたものとすることが望ましい。これにより、図３に示すように、各単位発電要素３００に設ける複数の配線基板１００の接続部１０１と基部１０２とを単位発電要素３００の積層方向で重なるように配置したとしても導出部１０３は重ならないようにすることができる。その結果、各配線基板１００の導出部１０３を単電池の積層方向と交差する同一面上で異なる位置に配置することとなるため、複数の導出部１０３を外装材の外へ取り出しても導出部１０３が占める厚さは配線基板一つ分の厚さとなる。これにより、外装体のシール性を確保することができ、電池の耐久性が向上する。また、複数の導出部１０３の外装体外への取り出しをコンパクトにまとめることができるため、複数の配線基板１００と外部装置との接続が容易になる。
【００４２】
なお、各単位発電要素３００に設ける複数の配線基板１００の接続部１０１と基部１０２とを単位発電要素３００の積層方向で重なるように配置しなくてもよいことは勿論である。このように配線基板１００を配置しても、導出部１０３を重ならないようにすることができるからである。
【００４３】
各単位発電要素３００に設ける各配線基板１００の位置は、図３のＡ−Ａ’断面図に示すように、各配線基板１００の複数の突起１０１ａがそれぞれ単位発電要素３００の積層方向で重なるように配置することが望ましい。後述するように、各単位発電要素３００に設ける各配線基板の導出部１０３は、あらかじめ複数形成した導出部のうちの一のみを残して切断することで構成することができる。そのため、最終的には導出部１０３の位置が異なる配線基板１００を実装したこととなる単位発電要素３００同士で、前記切断する前までの工程を共通化することができるため、電池の製造コストの低減が可能となる。また、異なる形状の配線基板を製造する必要がなく、電池の生産性を良くすることができる。さらに、各単位発電要素３００に設ける各配線基板１００の複数の突起１０１ａの位置をそれぞれ一致させるため、配線基板１００を単位発電要素３００に取付けるためのワーク稼動部を減らすことによる設備コストの低減が可能となる。
【００４４】
各単位発電要素３００に設ける各配線基板１００の接続部１０１の突起１０１ａの数は、図３のＢ−Ｂ’断面図に示すように、各単位発電要素３００を構成する単電池２００の数に一を加えた数とすることが望ましい。これにより、各単位発電要素３００を構成する単電池２００の全ての電極電位を各配線基板１００によって導出することができるため、各単電池の電圧を高精度にモニタすることができる。
【００４５】
次に、本実施形態に係る積層型電池の構成要素である配線基板の構造について説明する。
【００４６】
図４は、配線基板１００の構造を示す説明図である。配線基板１００は、接続部１０１と、基部１０２と、導出部１０３と、からなる。接続部１０１は複数の突起１０１ａを有してなる。
【００４７】
突起１０１ａの先端１０１ｂは導電体を露出させる。これにより、各単電池の集電体と突起１０１ａの先端１０１ｂとを接触させることで突起１０１ａと集電体とを電気的に接続させることができる。各単電池の集電体と接続部１０１とを電気的に接続させるために、各突起１０１ａの先端１０１ｂを集電体に挟み込ませてもよいし、集電体から伸ばされた部分に各突起１０１ａの先端１０１ｂを接続させてもよい。
【００４８】
配線基板１００は、フレキシブル基板を使用して形成することができる。フレキシブル基板は柔軟性があるため、積層型電池の各集電体に配線基板１００を挿入させることができ、電池内での取り回しが容易になる。
【００４９】
図４のa−a’断面に示すように、配線基板１００は、ポリイミドからなる絶縁基板４００と、絶縁体の接着材からなる第１接着層４０１と、導電体である銅からなる配線層４０２と、絶縁体の接着材からなる第２接着層４０３と、ポリイミドからなるカバー層４０４からなりうる。なお、例えば基部１０２において複数の配線４１０を互いに交差させる必要がある場合は、配線層４０２を複数の層としてもよい。
【００５０】
配線基板１００の接続部１０１の突起の先端１０１ａは、図４のｂ−ｂ’断面に示すように、表面に配線層４０２を露出させるために第２接着層４０３とカバー層４０４を取り除いてなる。
【００５１】
配線基板１００の導出部１０３の出力端１０３ａは、例えば、基部１０２および導出部１０３に設けられた各配線４１０とスルーホールを通じて電気的に接続された複数のバンプを有するという構造をとりうる。これにより、接続部１０１の各突起に接触させた各単電池の導電体の電圧を、バンプを通じて電池の外部に出力することができる。
【００５２】
配線基板１００は、図４に示すように、単位発電要素ごとに、互いに接続部１０１と基部１０２が共通で、導出部１０３の基部１０２に対する相対位置のみが異なるものを使用する。このような配線基板１００を使用することにより、配線基板１００の接続部１０１と基部１０２とを単位発電要素３００の積層方向で互いに重なるように配置したとしても導出部１０３は重ならないようにすることができる。その結果、各配線基板１００の導出部１０３を同一面上で異なる位置に配置することとなるため、複数の導出部１０３を外装材の外へ取り出しても導出部１０３が占める厚さは配線基板一つ分の厚さとなる。これにより、外装体のシール性を確保することができ、電池の耐久性が向上する。また、このような各形状を有する配線基板１００は、あらかじめ複数の導出部１０３を有する配線基板を作製し、導出部１０３同士の干渉防止のため該複数の導出部のうち互いに異なる一つのみを残して切断してなることができる。これにより、部品仕様と製造工程の一部を共通化することができるため、製造コストの低減が可能となる。また、異なる形状の配線基板を製造する必要がなく、電池の生産性を良くすることができる。
【００５３】
図５は、上述した、あらかじめ作製する、複数の導出部１０３を有する配線基板を示す図である。図５に示すように、導出部を切断する前の配線基板は、複数の導出部１０３を有し、該複数の導出部１０３のすべてが、接続部１０１の複数の各突起と電気的に接続されたバンプを設けた出力端１０３ａを有する。これにより、複数の導出部のうちいずれか一つの導出部１０３を残したとしても、接続部に接続された各集電体の電圧を出力端１０３ａから出力することができる。なお、本実施形態は、上述したように、各単位発電要素３００に設ける各配線基板の導出部１０３を、あらかじめ複数形成した導出部のうちの一のみを残して切断することで構成することが望ましいがこれに限定されない。すなわち、切断せずに各単位発電要素側に折り曲げることで導出部１０３を構成してもよい。
【００５４】
図６は、発電要素１２０に配線基板１００を設置する場所の例を示す説明図である。本実施形態は、配線基板１００の接続部１０１と基部１０２とを単位発電要素３００の積層方向で互いに重なるように配置することが望ましいが、これに限定されない。すなわち、図６に示すように、複数の配線基板１００を、接続部１０１と基部１０２とが単位発電要素３００の積層方向で互いに重ならないように配置してもよい。この場合、単位発電要素３００の積層方向で互いに重ねない複数の配線基板１００を発電要素１２０の電極面の中心点１２１に対して点対称となるように設置させることが望ましい。すなわち、該重ねない複数の配線基板の導出部１０３を電極面の中心点１２１に対して点対称となる位置から外装材の外へ突出させることが望ましい。
【００５５】
図７は、同一の配線基板１００を使用した場合の積層型電池の説明図である。図７に示す発電要素１２０は、単位発電要素の数が４であるため単電池の積層数が１６であり、４つの同一形状の各配線基板で、それぞれ４つの単電池セルの電圧をモニタする。ここで、各配線基板の接続部１０１の突起１０１ａの数は、電位差を検出する必要があるため、検出すべき単電池の数（４つ）に一を加えた数（５つ）とする。
【００５６】
配線基板１００は、発電要素１２０の電極面の中心点１２１に対する対称性を考慮して配置することが望ましい。すなわち、図７に示す例においては、４つの配線基板はそれぞれ電極面の中心点１２１を中心として４５度回転させるごとに重なるような配置とする。
【００５７】
このように、同一の配線基板１００を使用することにより、配線基板の仕様を一つにすることができるので、配線基板の製造コストを低減することができ、また、電池の生産性を向上させることができる。また、配線基板１００の導出部１０３を一つとする場合は、配線基板１００の基部１０２において複数の配線の交差をなくすことができるので、配線基板１００の配線層を単層とすることができ、配線基板の製造コストを低減することができる。
【００５８】
図８は、配線基板１００の他の例を示す説明図である。図８に示す配線基板１００は、配線基板１００の基部１０２（およびその配線４１０）と導出部１０３（およびその配線４１０）とを結合部８００で電気的に接続された構造を有する。また、結合部８００の位置を変えることで、配線基板１００の構造における基部１０２と導出部１０３との相対位置のみを変えることができるようにする。これにより、導出部１０３の位置が異なる配線基板１００を、共通の部品（接続部と基部の結合部品、導出部の部品、結合部の部品）により製造することができるため、製造コストを削減しうる。結合部８００としては、例えば、コネクタ、異方性導電フィルム、異方性導電接着剤からなることができる。
【００５９】
図９は、本実施形態に係る積層型電池を複数接続した組電池の実施形態の外観図であって、図９のＡは組電池の平面図であり、図９のＢは組電池の正面図であり、図９のＣは組電池の側面図である。
【００６０】
図９に示すように本発明の実施形態に係る組電池９００は、本発明の実施形態に係る積層型電池が複数、直列にまたは並列に接続して装脱着可能な小型の組電池９５０を形成し、この装脱着可能な小型の組電池９５０をさらに複数、直列にまたは並列に接続して形成することもできる。
【００６１】
これにより、高体積エネルギ密度、高体積出力密度が求められる車両駆動用電源や補助電源に適した大容量、大出力を持つ組電池９００を形成することができる。図９に示す組電池では、作成した装脱着可能な小型の組電池９５０は、バスバーのような電気的な接続手段を用いて相互に接続し、この組電池９５０は接続治具９１０を用いて複数段積層される。何個の積層型電池を接続して組電池９５０を作成するか、また、何段の組電池９５０を積層して組電池９００を作製するかは、搭載される車両（電気自動車）の電池容量や出力に応じて決めことができる。すなわち、積層型電池を直列化、並列化することで電池の容量および電圧を自由に調節できる。また、低コスト化を実現することができる。
【００６２】
図１０は、本発明の実施形態に係る積層型電池または組電池を搭載した電気自動車１０００を示す図である。本発明に係る積層型電池１０１０は、図１０に示すように、電気自動車１０００の車体中央部の座席下１０２０に搭載しうる。座席下１０２０に搭載すれば、車内空間およびトランクルームを広くとることができるメリットを有する。なお、本発明に係る積層型電池１０１０を搭載する場所は、座席下１０２０に限られない。すなわち、本発明に係る積層型電池は、後部トランクルームの下部や車両前方のエンジンルームにも搭載しうる。本実施形態に係る積層型電池をハイブリット車や電気自動車といった車両に用いることにより高寿命で信頼性の高い車両とすることができる。また、車両の低コスト化を実現することができる。
【００６３】
なお、本実施形態は積層型電池として双極型リチウムイオン二次電池を例に説明してきたが、本発明はこれに限定されない。双極型リチウムイオン二次電池に換え単電池が並列接続された積層型二次電池に本実施形態を適用することもできる。
【００６４】
以下に、本発明の実施形態に係る積層型電池、これを複数接続した組電池、および、これらを搭載した車両の効果を示す。
・発電要素の構成要素である単位発電要素ごとに１つの配線基板を接続するので、配線基板の歯（突起）の数を減らすことができ、これにより、配線基板へかかる応力を低減し、配線基板の耐久性を向上することができ、電池の耐久性が向上する。
・各配線基板の導出部を同一面上で異なる位置に配置するため、複数の導出部を外装材の外へ取り出しても該導出部が占める厚さは配線基板一つ分の厚さとなる。このため、外装体のシール性を確保することができ、電池の耐久性が向上する。
・各配線基板の導出部は、あらかじめ複数形成した導出部のうちの一のみを残して切断することで構成するため、異なる形状の配線基板を製造する必要がなく、電池の生産性を良くすることができる。
・配線基板をそれぞれ単位発電要素の積層方向に対し同一の位置に配置することで、複数の導出部の外装体外への取り出しをコンパクトにまとめることができるため、複数の配線基板と外部装置との接続が容易になる。
・配線基板の導出部の数を単位発電要素の数と同一とし、接続部の突起の数を単位発電要素をなす単電池の数に一を加えた数とすることで、各単位発電要素を構成する単電池の全ての電極電位を各配線基板によって導出することができるため、各単電池の電圧を高精度にモニタすることができる。
・積層型電池を直列化、並列化することで組電池の容量および電圧を自由に調節でき、低コスト化を実現することができる。
・より高寿命で信頼性の高い車両とすることができ、また、車両の低コスト化を実現することができる。
【符号の説明】
【００６５】
１０    積層型電池（積層型電池、双極型電池）、
１００    配線基板（配線基板）、
１０１    接続部（接続部）、
１０１ａ    突起（突起）、
１０１ｂ    突起の先端、
１０２    基部（基部）、
１０３    導出部（導出部）、
１０３ａ    出力端、
１１０Ａ    正極タブ、
１１０Ｂ    負極タブ、
１２０    発電要素、
１３０    外装材、
２００    単電池、
２１０    正極活物質層、
２２０    負極活物質層、
２３０    集電体、
２４０    電解質層、
２５０    シール部材、
３００    単位発電要素（単位発電要素）、
４００    絶縁基板、
４０１    第１接着層、
４０２    配線層、
４０３    第２接着層、
４０４    カバー層、
４１０    配線（配線）、
８００    結合部、
９００    組電池（組電池）、
１０００    電気自動車（車両）。
【図１】
2010211954.tif 000003
【図２】
2010211954.tif 000004
【図３】
2010211954.tif 000005
【図４】
2010211954.tif 000006
【図５】
2010211954.tif 000007
【図６】
2010211954.tif 000008
【図７】
2010211954.tif 000009
【図８】
2010211954.tif 000010
【図９】
2010211954.tif 000011
【図１０】
2010211954.tif 000012